(57)【要約】【課題】筐体内部の複数箇所に分散して蓄積したゴミを取り除くことができる情報処理装置及び掃除用部材を提供する。【解決手段】筐体の表面に複数の開口部が設けられ、複数の開口部に差し込まれる掃除用部材を介して、筐体の内部に蓄積したゴミが吸引される情報処理装置であって、掃除用部材は、ゴミを吸引する吸引装置に対して差し込みと抜き取りが自在である接続口と、複数の開口部に対して差し込みと抜き取りが自在である複数のゴミ吸引口と、を備えており、接続口が吸引装置に差し込まれ、かつ、複数のゴミ吸引口が複数の開口部に差し込まれた状態にて吸引装置の吸引動作が行われることにより、筐体の内部における複数の異なる箇所にそれぞれ蓄積したゴミが、複数のゴミ吸引口から吸引され、接続口を介して吸引装置内に搬送される。【選択図】図１
2011221580.tif 000002
【特許請求の範囲】
【請求項１】
筐体の表面に複数の開口部が設けられ、前記複数の開口部に差し込まれる掃除用部材を介して、前記筐体の内部に蓄積したゴミが吸引される情報処理装置であって、
前記掃除用部材は、
ゴミを吸引する吸引装置に対して差し込みと抜き取りが自在である接続口と、
前記複数の開口部に対して差し込みと抜き取りが自在である複数のゴミ吸引口と、を備えており、
前記接続口が前記吸引装置に差し込まれ、かつ、前記複数のゴミ吸引口が前記複数の開口部に差し込まれた状態にて前記吸引装置の吸引動作が行われることにより、前記筐体の内部における複数の異なる箇所にそれぞれ蓄積したゴミが、前記複数のゴミ吸引口から吸引され、前記接続口を介して前記吸引装置内に搬送されることを特徴とする情報処理装置。
【請求項２】
前記筐体の内部における複数の異なる箇所は、予め定められており、
前記複数のゴミ吸引口は、
前記複数の開口部に差し込まれたときに、前記予め定められた複数の異なる箇所に到達するように設計されていることを特徴とする請求項１記載の情報処理装置。
【請求項３】
前記予め定められた複数の異なる箇所は、
予めゴミが蓄積するように設計されていることを特徴とする請求項２記載の情報処理装置。
【請求項４】
前記複数の開口部は、
前記複数のゴミ吸引口が差し込まれていないときに閉じた状態にできることを特徴とする請求項１から３のいずれか１項に記載の情報処理装置。
【請求項５】
所定の装置の筐体の表面に設けられた複数の開口部に差し込まれ、前記筐体の内部に蓄積したゴミを吸引するための掃除用部材であって、
ゴミを吸引する吸引装置に対して差し込みと抜き取りが自在である接続口と、
前記複数の開口部に対して差し込みと抜き取りが自在である複数のゴミ吸引口と、を備えており、
前記接続口が前記吸引装置に差し込まれ、かつ、前記複数のゴミ吸引口が前記複数の開口部に差し込まれた状態にて前記吸引装置の吸引動作が行われることにより、前記筐体の内部における複数の異なる箇所にそれぞれ蓄積したゴミを、前記複数のゴミ吸引口から吸引し、前記接続口を介して前記吸引装置内に搬送することを特徴とする掃除用部材。
【請求項６】
前記複数のゴミ吸引口は、
前記複数の開口部に差し込まれたときに、予め定められた前記筐体の内部における複数の異なる箇所に到達するように設計されていることを特徴とする請求項５記載の掃除用部材。
【発明の詳細な説明】
【技術分野】
【０００１】
本発明は、筐体の内部に蓄積したゴミを吸引することが可能な情報処理装置及び掃除用部材に関する。
【背景技術】
【０００２】
例えばパソコン等の情報処理装置には、筐体の表面に吸気口が備えられているが、この吸気口にフィルタを装着することで、外部の塵や埃（以下、ゴミという）が筐体の内部に侵入することを防いでいる。しかし、フィルタを通過する微細なゴミもあるため、ある程度の時間が経つと、筐体内部にゴミが蓄積される。このような場合、例えばデスクトップ型のパソコンでは、筐体内部を露出させてゴミを取り除くことになるが、そのためには筐体ケースを取り外すなどの作業が必要となるため、手間がかかる。また、例えばノート型のパソコンでは、筐体内部を露出させることができない構成となっており、ゴミを取り除くことはできない。
【０００３】
このような筐体内部に蓄積したゴミを取り除くための技術例として、例えば特許文献１に開示されているものがある。この特許文献１の構成では、筐体の一部において、筐体内部に空気を送り込むためのダクトと、その送り込まれた空気の力により筐体内部のゴミを排出するためのダクトとを設けている。
【先行技術文献】
【特許文献】
【０００４】
【特許文献１】特開平２−４０１９１号公報
【発明の概要】
【発明が解決しようとする課題】
【０００５】
しかしながら、特許文献１の構成では、筐体内部に送り込まれた空気が筐体内で循環することもあり得るため、蓄積したゴミが確実に排出されるとは限らない。さらに、排出されずに残ったゴミが、空気の循環により、筐体内部に拡散して蓄積するおそれもある。
【０００６】
なお、一般的に、筐体内部に蓄積するゴミは、複数箇所に分散して蓄積する傾向があるが、分散したゴミを取り除く場合、一度に取り除けることが望ましい。これは、特許文献１の構成では解決できない問題である。
【０００７】
本発明は、上記事情に鑑みてなされたものであり、筐体内部の複数箇所に分散して蓄積したゴミを取り除くことができる情報処理装置及び掃除用部材を提供することを目的とする。
【課題を解決するための手段】
【０００８】
かかる目的を達成するために、本発明の情報処理装置は、筐体の表面に複数の開口部が設けられ、複数の開口部に差し込まれる掃除用部材を介して、筐体の内部に蓄積したゴミが吸引される情報処理装置であって、掃除用部材は、ゴミを吸引する吸引装置に対して差し込みと抜き取りが自在である接続口と、複数の開口部に対して差し込みと抜き取りが自在である複数のゴミ吸引口と、を備えており、接続口が吸引装置に差し込まれ、かつ、複数のゴミ吸引口が複数の開口部に差し込まれた状態にて吸引装置の吸引動作が行われることにより、筐体の内部における複数の異なる箇所にそれぞれ蓄積したゴミが、複数のゴミ吸引口から吸引され、接続口を介して吸引装置内に搬送されることを特徴とする。
【０００９】
本発明の掃除用部材は、所定の装置の筐体の表面に設けられた複数の開口部に差し込まれ、筐体の内部に蓄積したゴミを吸引するための掃除用部材であって、ゴミを吸引する吸引装置に対して差し込みと抜き取りが自在である接続口と、複数の開口部に対して差し込みと抜き取りが自在である複数のゴミ吸引口と、を備えており、接続口が吸引装置に差し込まれ、かつ、複数のゴミ吸引口が複数の開口部に差し込まれた状態にて吸引装置の吸引動作が行われることにより、筐体の内部における複数の異なる箇所にそれぞれ蓄積したゴミを、複数のゴミ吸引口から吸引し、接続口を介して吸引装置内に搬送することを特徴とする。
【発明の効果】
【００１０】
本発明によれば、筐体内部の複数箇所に分散して蓄積したゴミを取り除くことが可能となる。
【図面の簡単な説明】
【００１１】
【図１】本発明の一実施形態に係る情報処理装置及び掃除用部材の使用前の状態を示す図である。
【図２】本発明の一実施形態に係る情報処理装置及び掃除用部材の使用時の状態を示す図である。
【発明を実施するための形態】
【００１２】
以下、本発明を実施するための形態（実施形態）について添付図面を参照して詳細に説明する。
【００１３】
まず、本発明の情報処理装置の一実施形態であるＰＣ（Personal Computer）及び本発明の掃除用部材の一実施形態であるアタッチメントの構成について説明する。図１は、本実施形態のＰＣ及びアタッチメントの使用前（掃除実行前）の状態を示す図である。
【００１４】
本実施形態のＰＣ３について説明する。図１に示すように、本実施形態のＰＣ３は、筐体の表面に、３つの開口部３１、３２、３３が設けられている。これら開口部３１、３２、３３に対して、後述するアタッチメント１が抜き差しされる。なお、アタッチメント１が差し込まれていない場合に、開口部３１、３２、３３からゴミが侵入することを防ぐため、図示しない蓋部材等を用いて、開口部３１、３２、３３を閉じた状態にできるように構成してもよい。
【００１５】
また、図１に示すように、本実施形態のＰＣ３は、筐体の内部において、ゴミが蓄積する箇所（以下、ゴミ蓄積箇所という）が３つある。これらゴミ蓄積箇所４１、４２、４３はそれぞれ、筐体内部において互いに異なる箇所であり、予め定められた箇所である。本実施形態のＰＣ３は、筐体内部において、予め定められたゴミ蓄積箇所４１、４２、４３に、ゴミが蓄積されるように設計されている。
【００１６】
本実施形態のアタッチメント１について説明する。図１に示すように、本実施形態のアタッチメント１は、特殊な形状となっており、３つのゴミ吸引口１１、１２、１３と、１つの接続口１４とを備える。これらゴミ吸引口１１、１２、１３及び接続口１４は、内部が空洞（例えば円柱状のパイプ）になっており、吸引されるゴミの搬送路として機能する。
【００１７】
接続口１４は、掃除機の吸引口（例えばホースの先端部分）２に対して、差し込みと抜き取りが自在（矢印ａ参照）となっている。掃除機は、家庭などで一般的に使用されているものである。
【００１８】
ゴミ吸引口１１、１２、１３は、ＰＣ３の筐体表面に設けられた開口部３１、３２、３３に対して、差し込みと抜き取りが自在（矢印ｂ参照）である。例として、ゴミ吸引口１１は開口部３１に、ゴミ吸引口１２は開口部３２に、ゴミ吸引口１３は開口部３３に、それぞれ対応している。また、ゴミ吸引口１１は、開口部３１に差し込まれたときに、ゴミ蓄積箇所４１に到達するように設計されている。同様に、ゴミ吸引口１２は、開口部３２に差し込まれたときに、ゴミ蓄積箇所４２に到達するように設計されている。同様に、ゴミ吸引口１３は、開口部３３に差し込まれたときに、ゴミ蓄積箇所４３に到達するように設計されている。なお、ここでいう「到達」とは、ゴミ吸引口がゴミ蓄積箇所に接触する、又は、ゴミ吸引口がゴミの蓄積箇所の近傍に位置することを意味する。また、図１の例では、ゴミ吸引口１１と１２を同じ形状とし、ゴミ吸引口１３はゴミ吸引口１１、１２の形状とは異なる形状としている。ゴミ吸引口１１、１２の形状は略円形であり、ゴミ吸引口１３の形状は略長方形となっている。そして、ゴミ吸引口１３の略長方形の面積の方がゴミ吸引口１１、１２の略円形の面積よりも大きく、ゴミの吸引量が多くなっている。このように、ゴミ吸引口の形状や面積は任意に設計することができる。
【００１９】
以上のように構成された本実施形態のＰＣ及びアタッチメントの使用時について説明する。図２は、本実施形態のＰＣ及びアタッチメントの使用時（掃除実行前）の状態を示す図である。
【００２０】
ユーザは、ＰＣ３の内部の掃除を思い立ったときに、アタッチメント１と掃除機を用意し、アタッチメント１の接続口１４を掃除機の吸引口２に差し込み、両者を接続する。
【００２１】
次に、ユーザは、ＰＣ３の開口部３１、３２、３３が開いた状態（アタッチメント１を差し込み可能な状態）であることを確認し、アタッチメント１の各ゴミ吸引口１１、１２、１３を、ＰＣ３の開口部３１、３２、３３にそれぞれ差し込む。
【００２２】
このときの状態が図２である。図２に示すように、開口部３１、３２、３３から差し込まれたゴミ吸引口１１、１２、１３は、それぞれゴミ蓄積箇所４１、４２、４３に到達する。
【００２３】
ユーザは、掃除機のスイッチを入れ、吸引動作を開始する。これにより、ゴミ蓄積箇所４１、４２、４３にそれぞれ蓄積したゴミは、ゴミ吸引口１１、１２、１３から同時に吸引され、接続口１４及び掃除機の吸引口２を介して搬送され、掃除機内に蓄積される。
【００２４】
ユーザは、掃除が終了したら、アタッチメント１をＰＣ３及び掃除機の吸引口２から抜き取る。
【００２５】
以上説明したように、本実施形態によれば、ユーザは、筐体内部の複数箇所に分散して蓄積したゴミを同時に取り除くことができる。また、本実施形態によれば、ユーザは、掃除を行う際にＰＣの筐体内部を露出させる作業（例えばＰＣケースの取り外し）を行う必要がないので、ユーザの手間が省け、また、ノート型ＰＣにも適用でき、ノート型ＰＣの筐体内部の掃除を行うことができる。
【００２６】
なお、上記実施形態では、アタッチメントのゴミ吸引口、ＰＣの開口部及びゴミ蓄積箇所をそれぞれ３つずつとしたが、数はそれらに限定されない。
【００２７】
また、上記実施形態では、ゴミを吸引する吸引装置の一例として掃除機を用いるものとしたが、埃や塵を吸引できる機能を有するものであれば、装置の種類は問わない。
【００２８】
また、上記実施形態において、アタッチメントの形状及び材質については、ＰＣ内部の各種デバイス等を損傷するおそれがないものが好ましい。
【００２９】
上記アタッチメントは、販売されるＰＣの付属品として、あるいは、別売りの部品として、ユーザに提供される。よって、ＰＣの機種毎に、形状や材質を変えて製造されることが好ましい。
【００３０】
以上、本発明の実施形態について説明したが、上記実施形態に限定されるものではなく、その要旨を逸脱しない範囲において種々の変形が可能である。
【００３１】
例えば、デスクトップ型のＰＣに適用する場合、上記アタッチメントと同様の部材（例えばパイプ）を筐体内部に設け、かつ、その部材と接続され、掃除機の吸引口が抜き差し自在な差し込み口を筐体表面に設けるようにしてもよい。これにより、上記実施形態と同様に、筐体内部の複数箇所に蓄積したゴミを同時に除去できる。
【００３２】
また、例えば、アタッチメントを筐体内部に差し込んで掃除機の吸引動作を実行するのと同時に、ＰＣ内部に設けたファンを逆回転させるなどしてもよい。これにより、ゴミの吸引力が増し、より清掃効果を上げることができる。ただし、この場合は、ファンによる送風で筐体内にゴミが拡散しないように設計する必要がある。
【産業上の利用可能性】
【００３３】
本発明は、情報処理装置のみならず、筐体内部にゴミが蓄積する装置、機器、システムに適用できる。
【符号の説明】
【００３４】
１    アタッチメント（掃除用部材の一例）
２    掃除機の吸引口
３    ＰＣ（情報処理装置の一例）
１１、１２、１３    ゴミ吸引口
１４    接続口
３１、３２、３３    開口部
４１、４２、４３    ゴミ蓄積箇所
【図１】
2011221580.tif 000003
【図２】
2011221580.tif 000004